(57)【要約】【課題】タイマー制御茶類抽出器を提供する。【解決手段】  タイマー制御茶類抽出器は、主に本体１、バネ１９、主軸台２、固定台３、収納カップ４、濾し蓋４１、上蓋５、タイマー６、駆動環７および伝動環８などの構成部材により組成し、上蓋５を回転するとタイマー６が連動して起動し、伝動環８がこれにつれて回転して主軸台２を押して下へ移動させ、収納カップ４と濾し蓋４１がこれに伴って下向きに移動して本体１底部を離れるようにして、収納カップ４内の茶葉９０が湯飲みなどの容器９１内の湯に浸るようにでき、タイマー６の設定時間になると、主軸台２は伝動環８に下向きに押されることがなくなり、バネ１９の弾性回復力によって上向きに押され、収納カップ４と濾し蓋４１を連動して上へ移動させ、本体１の底部に閉じるようにし、このようにして設定時間に自動的に茶葉９０と茶液を隔離でき、茶葉９０の浸しすぎで苦味・渋みが出すぎるのを防止できる。【選択図】  図１
2007020816.tif 000002
【特許請求の範囲】
【請求項１】
タイマー制御茶類抽出器は、
本体を具え、本体内に容室を設け、容室の一側にスライド溝を設け、容室の中央に貫通孔を設け、本体の容室にバネを設け、本体の底部に凹室を設け、
主軸台を具え、本体の容室内に設け、主軸台の側壁に等間隔に数個のガイドブロックを凸設し、ガイドブロックの一側辺をテーパ面とし、そのうち一つのガイドブロックの側壁に突起部を設け、主軸台の底部に主軸を設け、
固定台を具え、本体の容室内に固設し、固定台の上面に挿設台を設け、
収納カップを具え、本体の下方に設け、収納カップ上に濾し蓋を設け、濾し蓋に数個の通孔を設け、濾し蓋上に別に貫通孔を設け、
上蓋を具え、本体の上方を覆って蓋し、
タイマーを具え、上蓋内に固設し、タイマーの底面に伝動歯車と挿設ブロックを設け、
駆動環を具え、タイマーの下方に設け、駆動環に通孔を設け、
伝動環を具え、駆動環上に重ねて設け、伝動環の底部に等間隔に数個の伝動片を凸設し、伝動環の一側をテーパ面に設けるようにして成ることを特徴とするタイマー制御茶類抽出器。
【請求項２】
本体の容室内に凹溝を設け、凹溝内に止水蓋を設け、止水蓋内に防水パッキングを設け、本体の上面に時間目盛りを設け、本体の容室内に数個の凸柱を設け、主軸台の上面に数個の貫通孔を設けて凸柱に向かい合うようにし、固定台に数個の貫通孔を設けて固接部材を挿入して本体の凸柱上にかしめられるようにして成ることを特徴とする請求項１記載のタイマー制御茶類抽出器。
【請求項３】
固定台の上面に通孔を設け、通孔に向かい合う底部にストッパ台を設け、ストッパブロックは枢軸でストッパ台内に枢設し、ストッパブロックの上端に近い箇所にバネを設け、バネは通孔内に位置し、主軸台の上面に通孔を設けてストッパ台を挿設できるようにし、駆動環の底面に駆動ブロックを設けてストッパブロックを押すことができるようにして成ることを特徴とする請求項１記載のタイマー制御茶類抽出器。
【請求項４】
主軸台の主軸の底端に近い位置に環状溝を設け、環状溝上にリングを設けて成ることを特徴とする請求項１記載のタイマー制御茶類抽出器。
【請求項５】
上蓋に貫通孔を設け、タイマーの上面にネジ孔を設け、固接部材は上蓋の貫通孔を貫通してタイマーのネジ孔にかしめ、タイマーの底面に凸柱を設け、駆動環に貫通孔を設けて固接部材を挿入してタイマーの凸柱上にかしめられるようにし、駆動環の周壁に数個のピン孔を設け、伝動環の壁面に数個のピンレールを設け、ピンレール内にピンを挿設し、ピンは更に駆動環のピン孔に挿設するようにして成ることを特徴とする請求項１記載のタイマー制御茶類抽出器。
【発明の詳細な説明】
【技術分野】
【０００１】
本発明はタイマー制御茶類抽出器に関し、特にタイマーの時間設定に、その他構成部材の作動を組み合わせることによって、自動的に設定時間に茶葉と茶液を隔離することができるようにして、茶葉が長く浸りすぎて渋みや苦味が出すぎるのを防ぐタイマー制御茶類抽出器に関する。
【背景技術】
【０００２】
おいしいお茶を淹れるには、湯の温度のほか、抽出時間もことのほか重要である。一般の茶を淹れる手順は大変繁雑であるため、簡単に茶葉と茶液を分離できる抽出器はオフィスなどで広く受け入れられており、茶を淹れる複雑な手間が省け、簡易に茶を淹れることができる。一般の公知の茶類抽出器は、ポット体を具え、ポット体の上部に開口部を設け、茶葉を収納する網状体をポット体の開口部内に置くことができ、茶を淹れる時には茶葉を網状体の中に入れて湯を茶葉の上に注ぐと、湯が網状体からポット体内に流入し、湯を網状体の中の茶葉にかぶるまで注いでから、ポット体上に蓋をし、茶葉を湯にある時間浸した後、網状体をポット体から取り出すと茶液の出来上がりである。しかし公知の茶類抽出器は、使用者が茶を浸しているときに離れたりして忘れてしまい、適当な時間内に網状体と茶葉をポット体からとりださず、茶葉の浸しすぎで苦味や渋みが出過ぎてまずくなってしまうことがよくある。或いは茶葉を浸す時間が十分でないうちに茶葉を取り出して、茶液の味が薄かったりする。公知の茶類抽出器には以上のような欠点がある。
【特許文献１】特開２００２−６５４６８号公報
【発明の開示】
【発明が解決しようとする課題】
【０００３】
本発明は、茶葉を設定時間に茶液から隔離することができ、茶葉を浸しすぎて苦味・渋みが出すぎたり、または淹れる時間が不十分で茶液の味が薄かったりするのを防止するタイマー制御茶類抽出器を提供することを主な課題とする。
【課題を解決するための手段】
【０００４】
本発明の請求項１に記載のタイマー制御茶類抽出器は、
本体を具え、本体内に容室を設け、容室の一側にスライド溝を設け、容室の中央に貫通孔を設け、本体の容室にバネを設け、本体の底部に凹室を設け、
主軸台を具え、本体の容室内に設け、主軸台の側壁に等間隔に数個のガイドブロックを凸設し、ガイドブロックの一側辺をテーパ面とし、そのうち一つのガイドブロックの側壁に突起部を設け、主軸台の底部に主軸を設け、
固定台を具え、本体の容室内に固設し、固定台の上面に挿設台を設け、
収納カップを具え、本体の下方に設け、収納カップ上に濾し蓋を設け、濾し蓋に数個の通孔を設け、濾し蓋上に別に貫通孔を設け、
上蓋を具え、本体の上方を覆って蓋し、
タイマーを具え、上蓋内に固設し、タイマーの底面に伝動歯車と挿設ブロックを設け、
駆動環を具え、タイマーの下方に設け、駆動環に通孔を設け、
伝動環を具え、駆動環上に重ねて設け、伝動環の底部に等間隔に数個の伝動片を凸設し、伝動環の一側をテーパ面に設けるようにして成ることを特徴とする。
【０００５】
請求項２に記載のタイマー制御茶類抽出器は、請求項１の場合において、
本体の容室内に凹溝を設け、凹溝内に止水蓋を設け、止水蓋内に防水パッキングを設け、本体の上面に時間目盛りを設け、本体の容室内に数個の凸柱を設け、主軸台の上面に数個の貫通孔を設けて凸柱に向かい合うようにし、固定台に数個の貫通孔を設けて固接部材を挿入して本体の凸柱上にかしめられるようにして成ることを特徴とする。
【０００６】
請求項３に記載のタイマー制御茶類抽出器は、請求項１の場合において、
固定台の上面に通孔を設け、通孔に向かい合う底部にストッパ台を設け、ストッパブロックは枢軸でストッパ台内に枢設し、ストッパブロックの上端に近い箇所にバネを設け、バネは通孔内に位置し、主軸台の上面に通孔を設けてストッパ台を挿設できるようにし、駆動環の底面に駆動ブロックを設けてストッパブロックを押すことができるようにして成ることを特徴とする。
【０００７】
請求項４に記載のタイマー制御茶類抽出器は、請求項１の場合において、
主軸台の主軸の底端に近い位置に環状溝を設け、環状溝上にリングを設けて成ることを特徴とする。
【０００８】
請求項５に記載のタイマー制御茶類抽出器は、請求項１の場合において、
上蓋に貫通孔を設け、タイマーの上面にネジ孔を設け、固接部材は上蓋の貫通孔を貫通してタイマーのネジ孔にかしめ、タイマーの底面に凸柱を設け、駆動環に貫通孔を設けて固接部材を挿入してタイマーの凸柱上にかしめられるようにし、駆動環の周壁に数個のピン孔を設け、伝動環の壁面に数個のピンレールを設け、ピンレール内にピンを挿設し、ピンは更に駆動環のピン孔に挿設するようにして成ることを特徴とする。
【発明の効果】
【０００９】
本発明のタイマー制御茶類抽出器は、主に本体、バネ、主軸台、固定台、収納カップ、濾し蓋、上蓋、タイマー、駆動環および伝動環などの構成部材により組成し、上蓋を回転するとタイマーが連動して起動し、伝動環がこれにつれて回転して主軸台を押して下へ移動させ、収納カップと濾し蓋がこれに伴って下向きに移動して本体底部を離れるようにして、収納カップ内の茶葉が湯飲みなどの容器内の湯に浸るようにでき、タイマーの設定時間になると、主軸台は伝動環に下向きに押されることがなくなり、バネの弾性回復力によって上向きに押され、収納カップと濾し蓋を連動して上へ移動させ、本体の底部に閉じるようにし、このようにして設定時間に自動的に茶葉と茶液を隔離でき、茶葉の浸しすぎで苦味・渋みが出すぎるのを防止することができる。
【発明を実施するための最良の形態】
【００１０】
図１、図２に示すように、本発明は主に本体１を具え、本体1内に容室１０を設け、容室１０内に数個の凸柱１１を設け、容室１０の一側にスライド溝１２を設け、容室１０の中央に凹溝１３を設け、凹溝１３底部に貫通孔１４を設け、凹溝１３内に止水蓋１５を設け、止水蓋１５内に防水パッキング１６を設け、本体1の上面に時間目盛り１７を設け、本体１の底部に凹室１８を設け、バネ１９を本体１の容室１０内に設ける。主軸台２を具え、本体１の容室１０内に設け、主軸台２の上面に数個の貫通孔２０および通孔２１を設け、主軸台２の側壁に等間隔に数個のガイドブロック２２を凸設し、これらガイドブロック２２の一辺をテーパ面２３とし、そのうち一つのガイドブロック２２の側壁に突起部２４を設け、主軸台２の底部に主軸２５を設け、主軸２５の底端部近くに環状溝２６を設け、環状溝２６上にリング２７をはめ込む。固定台３を具え、本体１の容室１０内に固設し、固定台３上に数個の貫通孔３０を設けて固接部材３１を挿入して本体の凸柱１１上にかしめることができるようにし、固定台３の上面中央に挿設台３２を設け、固定台３の上面に通孔３３を設け、通孔３３に向かい合う底部にストッパ台３４を設け、ストッパブロック３５を枢軸３６でストッパ台３４内に枢設し、ストッパブロック３５の上端に近い箇所にバネ３７を設けて通孔３３内に位置させる。収納カップ４を具え、本体１の下方に設け、収納カップ４の内縁に内ネジ４０を設け、収納カップ４上に濾し蓋４１を設け、濾し蓋４１に数個の通孔４２を設け、濾し蓋４１の中央に通孔４３を設け、濾し蓋４１の周囲に外ネジ４４を設ける。上蓋５を具え、本体１上方を覆い、上蓋５に貫通孔５０を設け、固接部材５１を貫通孔５０内に挿入する。タイマー６を具え、上蓋５内に固設し、タイマー６の上面にネジ孔６０を設け、タイマー６の底面に凸柱６１を設け、タイマー６の底面に別途伝動歯車６２と挿設ブロック６３を設ける。駆動環７を具え、タイマー６の下方に設け、駆動環７の中央に通孔７０を設け、駆動環７の上面に凹室７１を設け、駆動環７の上面に数個の凸片７２を凸設し、駆動環７に貫通孔７３を設けて固接部材７４を挿入してタイマー６の凸柱７１上にかしめられるようにし、駆動環７の周壁に数個のピン孔７５を設け、駆動環７の底面に駆動ブロック７６を凸設する。伝動環８を具え、駆動環７上にかぶせて設け、伝動環８の壁面に数個のピンレール８０を設け、ピンレール８０内を貫通してピン８１を設け、これらのピン８１は更に駆動環７のピン孔７５内に挿設し、伝動環８の底部に等間隔に数個の伝動片８２を凸設し、伝動環８の一側をテーパ面８３とする。
【００１１】
組立て時には、図１から図６に示すように、まず防水パッキング１６を止水蓋１５内に設け、止水蓋１５を本体１の凹溝１３内に設け、別途バネ１９を本体１の容室１０内に設けてから、主軸台２を本体１の容室１０内に設けて、容室１０内の凸柱１１が主軸台２の貫通孔２０に挿入されるようにする。主軸台２の突起部２４は本体１のスライド溝１２内に設けて、主軸台２が容室１０内を上下に動作して回転しないようにし、また、主軸台２はバネ１９の弾性を受けて上向きに押され、主軸台２底部の主軸２５は止水蓋１５、防水パッキング１６および本体１の貫通孔１４を貫通して本体１底部の凹室１８内に突出し、また濾し蓋４１を本体１底部の凹室１８内に設けて、主軸２５の底端部が濾し蓋４１の貫通孔４３を貫通するようにし、更にリング２７を主軸２５の環状溝２６にはめ込むと、濾し蓋４１と主軸２５が連結される。収納カップ４を濾し蓋４１の下方にネジ接続してから、枢軸３６でストッパブロック３５をストッパ台３４内に枢設し、バネ３７を固定台３の通孔３３内に位置させてストッパブロック３５の上端を弾力で押すようにし、ストッパブロック３５の下端は外向きに凸設してから、固定台３を本体１の容室１０上に設けて、固定台３が本体１の凸柱１１に押されて容室１０上部に位置決めされるようにする。固定台３は固接部材３１を貫通孔３０に挿入して凸柱１１上に固接し、固定台３０底部のストッパ台３４は主軸台２の通孔２１に挿設する。伝動環８は駆動環７にかぶせて設け、ピン８１を駆動環７のピン孔７５に刺してこれを設置し、固接部材７４で駆動環７をタイマー６の底部に固設する。タイマー６底部の挿設ブロック６３は駆動環７の通孔７０を貫通して設け、固接部材５１を上蓋５の貫通孔５０に挿入してタイマー６を上蓋５内に固設する。最後に上蓋５とその内部構成部材を併せて本体１の上方に設置し、上蓋５内の伝動環８の伝動片８２が本体１の容室１０内に挿設されるようにし、伝動片８２のテーパ面８３が主軸台２のガイドブロック２２の一側のテーパ面２３にぴったり接するようにし、タイマー６の挿設ブロック６３は固定台３の挿設台３２上に挿設して、全体の組立てを完了する。
【００１２】
使用時には、図７から図１１に示すように、まず収納カップ４を濾し蓋４１から回しはずし、収納カップ４内に適量の茶葉９０（図７に示す）を入れ、収納カップ４を濾過蓋４１下方に回して固定し、一般容器９１（湯飲みなど）の中に湯を注いでから、茶類抽出器を容器９１上に置くと（図８に示す）、本体１の底部と収納カップ４が容器９１内に位置し、上蓋５を回転させると、それに伴って上蓋５内のタイマー６、駆動環７および伝動環８が一緒に回転し、タイマー６の挿設ブロック６３は固定台３の挿設台３２と嵌合しているためタイマー６の挿設ブロック６３は回転しない。伝動環８底部に設けた伝動片８２のテーパ面８３は本体１内の主軸台２のガイドブロック２２のテーパ面２３とは反対方向に移動し、且つ主軸台２は突起部２４がスライド溝１２内にあって制限されるため、主軸台２は伝動環８に伴って回転することはなく、伝動片８２に押されて上下に動作するだけである。駆動環８が上蓋５につれて回転すると、その底部の駆動ブロック７６は固定台３通孔３３内に設けたストッパブロック３５を押して、その片側のバネ３７を圧縮する。ストッパブロック３５は枢軸３６を軸とし、ストッパブロック３５の下端は内向きに回動し、主軸台２の下への移動を妨げない。伝動環８の伝動片８２の底縁が主軸台２のガイドブロック２２の上縁に当接すると主軸台２は伝動環８に下向きに押されて最も下部まで移動し、下方のバネ１９を圧縮し、主軸台２が下へ移動すると、駆動環７底部の駆動ブロック７６は回転移動してストッパブロック３５の位置を離れ、ストッパブロック３５は押されなくなるとバネ３７の復位によって元の位置に押し戻され、ストッパブロック３５の下端はサイド外向きに回動して主軸台２の通孔２１の上縁に弾接して（図９、図１０に示す）、主軸台２を位置決めする。主軸台２が下へ移動すると、主軸２５は濾し蓋４１と収納カップ４を下向きに移動させ、収納カップ４と濾し蓋４１は本体１底部の凹室１８を離れて、湯が濾し蓋４１の通孔４２から収納カップ４内に進入でき、収納カップ４内の茶葉９０が浸される（図１１に示す）。タイマー６は上蓋５の回転に連動して時間を計り始め、上蓋５、駆動環７および伝動環８は時間経過に伴ってゆっくり元の位置へと回転し、駆動環７底部の駆動ブロック７６はストッパブロック３５を押して片側のバネ３７を圧縮し、ストッパブロック３５の下端はサイド内向きに回動し、主軸台２を妨げなくなり、主軸台２は上向きに移動できるようになり、伝動環８底部に設けた伝動片８２のテーパ面８３が元の位置へと回転して主軸台２のガイドブロック２２のテーパ面２３に接すると、主軸台２は伝動環８の伝動片８２底縁に押されなくなり、バネ１９の弾性によってゆっくりと主軸台２と濾し蓋４１および収納カップ４を上向きに移動させ、伝動片８２のテーパ面８３とガイドブロック２２のテーパ面２３が完全にぴったり接すると（つまりタイマーの設定時間になると）、それに伴って収納カップ４は上向きに移動して本体１の下方に閉じられ、濾し蓋４１は本体１底部の凹室１８内に移動し、収納カップ４内の茶葉９０と容器９１内の茶液を隔離し、茶葉９０は抽出されなくなる。このようにして、使用者は好みに応じて茶葉を抽出する時間を設定でき、適当な味のおいしいお茶を淹れることができる。使用後、出し殻を取り出すときには、収納カップ４を濾し蓋４１から回しはずして茶殻を捨てれば、簡単に洗浄できる。
【図面の簡単な説明】
【００１３】
【図１】本発明の立体分解図である。
【図２】本発明の別の角度の立体分解図である。
【図３】本発明の組立て断面図である。
【図４】本発明の別の角度の組立断面図である。
【図５】本発明の上部と下部の立体組立図である。
【図６】本発明の立体組立図である。
【図７】本発明の収納カップを開けて茶葉を入れる立体図である。
【図８】本発明を容器内に置き、茶葉が抽出される前の略図である。
【図９】本発明のタイマーを回転させ収納カップが下へ移動した状態の略図である。
【図１０】本発明の収納カップが下へ移動した状態の組立断面図である。
【図１１】本発明を容器内に置き、茶葉が抽出される状態の略図である。
【符号の説明】
【００１４】
１ 本体
１０ 容室
１１ 凸柱
１２ スライド溝
１３ 凹溝
１４ 貫通孔
１５ 止水蓋
１６ 防水パッキング
１７ 時間目盛り
１８ 凹室
１９ バネ
２ 主軸台
２０ 貫通孔
２１ 通孔
２２ ガイドブロック
２３ テーパ面
２４ 突起部
２５ 主軸
２６ 環状溝
２７ リング
３ 固定台
３０ 貫通孔
３１ 固接部材
３２ 挿設台
３３ 通孔
３４ ストッパ台
３５ ストッパブロック
３６ 枢軸
３７ バネ
４ 収納カップ
４０ 内ネジ
４１ 濾し蓋
４２ 通孔
４３ 貫通孔
４４ 外ネジ
５ 上蓋
５０ 貫通孔
５１ 固接部材
６ タイマー
６０ ネジ孔
６１ 凸柱
６２ 伝動歯車
６３ 挿設ブロック
７ 駆動環
７０ 通孔
７１ 凹室
７２ 凸片
７３ 貫通孔
７４ 固接部材
７５ ピン孔
７６ 駆動ブロック
８ 伝動環
８０ ピンレール
８１ ピン
８２ 伝動片
８３ テーパ面
９０ 茶葉
９１ 容器
【図１】
2007020816.tif 000003
【図２】
2007020816.tif 000004
【図３】
2007020816.tif 000005
【図４】
2007020816.tif 000006
【図５】
2007020816.tif 000007
【図６】
2007020816.tif 000008
【図７】
2007020816.tif 000009
【図８】
2007020816.tif 000010
【図９】
2007020816.tif 000011
【図１０】
2007020816.tif 000012
【図１１】
2007020816.tif 000013